(57)【要約】【課題】屋外の温度、屋外の湿度、屋外の風速、日照時間、紫外線強度等の屋外の環境情報を包括的に取得して、加熱送風装置の動作条件を適切に制御することができる加熱送風システムを提供する。【解決手段】加熱送風システムは、ハウジング３とファン５とヒータ８とを有する加熱送風装置（ヘアドライヤ１）と、ヘアドライヤ１を制御するプログラム１０２と、を備える。プログラム１０２は、屋外の温度、屋外の湿度、屋外の風速、日照時間、紫外線強度のうち、少なくとも１つの屋外の環境情報を取得するステップを有する。また、プログラム１０２は、取得した屋外の環境情報から、ヘアドライヤ１の風量、風温のうち、少なくとも１つの動作条件を演算するステップを有する。【選択図】図９
2020171532.tif 000002
【特許請求の範囲】
【請求項１】
ハウジングの内部に配置されるファンおよび加熱部を有する加熱送風装置と、
前記加熱送風装置を制御するプログラムと、を備え、
前記プログラムは、
屋外の温度、屋外の湿度、屋外の風速、日照時間、紫外線強度のうち、少なくとも１つの屋外の環境情報を取得するステップと、
取得した屋外の環境情報から、前記加熱送風装置の風量、風温のうち、少なくとも１つの動作条件を演算するステップとを有する、加熱送風システム。
【請求項２】
前記プログラムは、
地域情報を取得するステップと、
時刻情報を取得するステップと、
気象情報を取得するステップと、
取得した地域情報と時刻情報と気象情報とのうち、少なくとも２つから屋外の環境情報を演算するステップとを有する、請求項１に記載の加熱送風システム。
【請求項３】
前記プログラムは、前記加熱送風装置以外のデバイスで作動する、請求項１または２に記載の加熱送風システム。
【請求項４】
ハウジングの内部に配置されるファンおよび加熱部を有する加熱送風装置と、
屋外の温度、屋外の湿度、屋外の風速、日照時間、紫外線強度のうち、少なくとも１つの屋外の環境情報を有する情報サーバと、
屋外の温度、屋外の湿度、屋外の風速、日照時間、紫外線強度のうち、少なくとも１つの屋外の環境情報から、前記加熱送風装置の風量、風温のうち、少なくとも１つの動作条件を演算する演算サーバと、
前記加熱送風装置を制御するプログラムと、を備え、
前記プログラムは、
前記情報サーバから、少なくとも１つの屋外の環境情報を取得するステップと、
取得した屋外の環境情報を演算サーバに付与するステップと、
前記演算サーバから、少なくとも１つの動作条件を取得するステップとを有する、加熱送風システム。
【請求項５】
ハウジングの内部に配置されるファンおよび加熱部を有する加熱送風装置と、
前記加熱送風装置の位置に基づいて前記加熱送風装置が使用される地域情報を演算する位置測定装置と、
時刻情報を有するタイマと、
気象情報を有する情報サーバと、
地域情報と時刻情報と気象情報とから屋外の環境情報を演算する演算サーバと、
前記加熱送風装置を制御するプログラムと、を備え、
前記プログラムは、
前記位置測定装置から、前記加熱送風装置が使用される地域情報を取得するステップと、
前記タイマから、前記加熱送風装置が使用される時刻情報を取得するステップと、
前記情報サーバから、気象情報を取得するステップと、
取得した地域情報と時刻情報と気象情報とを前記演算サーバに付与するステップと、
前記演算サーバから、屋外の環境情報を取得するステップと、
取得した屋外の環境情報を前記演算サーバに付与するステップと、
前記演算サーバから、少なくとも１つの動作条件を取得するステップとを有する、加熱送風システム。
【請求項６】
前記加熱送風装置は、遷移金属微粒子生成部、イオン生成部、酸性成分生成部、帯電微粒子液体生成部のうち、少なくとも１つを有し、
前記プログラムは、取得した屋外の環境情報から、前記加熱送風装置の前記遷移金属微粒子生成部、前記イオン生成部、前記酸性成分生成部、前記帯電微粒子液体生成部のうち、少なくとも１つの生成部の動作条件を取得するステップを有する、請求項１から５のいずれか１項に記載の加熱送風システム。
【請求項７】
前記加熱送風装置は、イオン生成部と、帯電微粒子液体生成部と、前記イオン生成部と前記帯電微粒子液体生成部とを制御して、イオンの生成量と帯電微粒子液体の生成量とを調整する制御部とを有し、
前記制御部は、イオンの生成量を増加させるとともに、帯電微粒子液体の生成量を減少させ、または、イオンの生成量を減少させるとともに、帯電微粒子液体の生成量を増加させる、請求項１から５のいずれか１項に記載の加熱送風システム。
【請求項８】
前記帯電微粒子液体生成部は、放電電極と、水供給デバイスとを有し、
前記制御部は、前記放電電極に対する前記水供給デバイスからの水の供給量を増減させることにより、イオンの生成量と帯電微粒子液体の生成量とを調整する、請求項７に記載の加熱送風システム。
【請求項９】
前記イオン生成部と前記帯電微粒子液体生成部とは同じものである、請求項７または８に記載の加熱送風システム。
【発明の詳細な説明】
【技術分野】
【０００１】
本開示は、加熱送風システムに関する。
【背景技術】
【０００２】
従来の加熱送風システムとして、例えば特許文献１には、ハウジングの内部に配置されるファンおよび加熱部を有する加熱送風装置と、加熱送風装置を制御するプログラムとを備えるものが開示されている。
【０００３】
この加熱送風システムは、室温等の屋内の環境を検知して、加熱送風装置の風温を制御するものである。
【先行技術文献】
【特許文献】
【０００４】
【特許文献１】特開２０１５−２０２１２９号公報
【発明の概要】
【発明が解決しようとする課題】
【０００５】
しかしながら、髪の状態は加熱送風装置を使用するときの屋内の環境に必ず依存するとはいえないため、前述の加熱送風システムにおいては、加熱送風装置の動作条件を適切に制御できない可能性がある。
【０００６】
本開示は、このような従来技術の有する課題に鑑みてなされたものである。そして、本開示の目的は、屋外の温度、屋外の湿度、屋外の風速、日照時間、紫外線強度等の屋外の環境情報を包括的に取得して、加熱送風装置の動作条件を適切に制御することができる加熱送風システムを提供することにある。
【課題を解決するための手段】
【０００７】
上記課題を解決するために、本開示の第１の態様にかかる加熱送風システムは、ハウジングの内部に配置されるファンおよび加熱部を有する加熱送風装置と、加熱送風装置を制御するプログラムと、を備える。プログラムは、屋外の温度、屋外の湿度、屋外の風速、日照時間、紫外線強度のうち、少なくとも１つの屋外の環境情報を取得するステップと、取得した屋外の環境情報から、加熱送風装置の風量、風温のうち、少なくとも１つの動作条件を演算するステップとを有する。
【０００８】
本開示の第２の態様にかかる加熱送風システムは、ハウジングの内部に配置されるファンおよび加熱部を有する加熱送風装置と、屋外の温度、屋外の湿度、屋外の風速、日照時間、紫外線強度のうち、少なくとも１つの屋外の環境情報を有する情報サーバと、屋外の温度、屋外の湿度、屋外の風速、日照時間、紫外線強度のうち、少なくとも１つの屋外の環境情報から、加熱送風装置の風量、風温のうち、少なくとも１つの動作条件を演算する演算サーバと、加熱送風装置を制御するプログラムと、を備える。プログラムは、情報サーバから、少なくとも１つの屋外の環境情報を取得するステップと、取得した屋外の環境情報を演算サーバに付与するステップと、演算サーバから、少なくとも１つの動作条件を取得するステップとを有する。
【０００９】
本開示の第３の態様にかかる加熱送風システムは、ハウジングの内部に配置されるファンおよび加熱部を有する加熱送風装置と、加熱送風装置の位置に基づいて加熱送風装置が使用される地域情報を演算する位置測定装置と、時刻情報を有するタイマと、気象情報を有する情報サーバと、地域情報と時刻情報と気象情報とから屋外の環境情報を演算する演算サーバと、加熱送風装置を制御するプログラムと、を備える。プログラムは、位置測定装置から、加熱送風装置が使用される地域情報を取得するステップと、タイマから、加熱送風装置が使用される時刻情報を取得するステップと、情報サーバから、気象情報を取得するステップと、取得した地域情報と時刻情報と気象情報とを演算サーバに付与するステップと、演算サーバから、屋外の環境情報を取得するステップと、取得した屋外の環境情報を演算サーバに付与するステップと、演算サーバから、少なくとも１つの動作条件を取得するステップとを有する。
【発明の効果】
【００１０】
本開示によれば、屋外の温度、屋外の湿度、屋外の風速、日照時間、紫外線強度等の屋外の環境情報を包括的に取得して、加熱送風装置の動作条件を適切に制御することができる加熱送風システムを提供することができる。
【図面の簡単な説明】
【００１１】
【図１】本実施形態における加熱送風装置の側面図である。
【図２】本実施形態における加熱送風装置の正面図である。
【図３】本実施形態における加熱送風装置の平面図である。
【図４】本実施形態における加熱送風装置の上側内部を示す平面図である。
【図５】図４のＡ−Ａ断面図である。
【図６】本実施形態における加熱送風装置の本体部内でイオン生成部と酸性成分生成部、帯電微粒子液体生成部が設けられる部分を示す斜面図である。
【図７】本実施形態における加熱送風装置の本体部内でイオン生成部と酸性成分生成部、帯電微粒子液体生成部が設けられる部分を拡大して示す平面図である。
【図８Ａ】ミスト生成部の放電電極および対向電極を概略的に示す図であって、放電電極に供給する水分を比較的多量とした場合のテーラーコーン形状を示す図である。
【図８Ｂ】ミスト生成部の放電電極および対向電極を概略的に示す図であって、放電電極に供給する水分を比較的少量とした場合のテーラーコーン形状を示す図である。
【図９】本実施形態における加熱送風システムの機能構成を示すブロック図である。
【図１０】仕上がり情報による加熱送風装置の基本動作を示す図表である。
【図１１】屋外の温度や屋外の湿度等の環境情報と加熱送風装置の動作条件との関係を示す図表である。
【図１２】季節等の環境情報と加熱送風装置の動作条件との関係を示す図表である。
【図１３】使用者情報と加熱送風装置の動作条件との関係を示す図表である。
【図１４】本実施形態の変形例における加熱送風装置の断面図である。
【発明を実施するための形態】
【００１２】
以下、本実施形態について、図面を参照しながら説明する。
【００１３】
先ず、加熱送風装置について図１から図８Ｂに基づいて説明する。図１は、本実施形態における加熱送風装置の側面図を示すものである。
【００１４】
本実施形態にかかる加熱送風装置としてのヘアドライヤ（ヘアケア装置）１は、使用者が手で握る部分としての把持部１ａと、把持部１ａと交差する方向に結合された本体部１ｂとを備えている。そして、使用時には把持部１ａと本体部１ｂとで略Ｔ字状あるいは略Ｌ字状（本実施形態では略Ｔ字状）の外観を呈するように折り畳み可能に構成されている。
【００１５】
把持部１ａの突出端部からは、電源コード２が引き出されている。また、把持部１ａは、本体部１ｂ側の根元部１ｃと先端部１ｄとに分割されており、これら根元部１ｃと先端部１ｄとが、連結部１ｅを介して回動可能に連結されている。なお、先端部１ｄは、本体部１ｂに沿う位置まで折り畳むことができるようになっている。
【００１６】
ヘアドライヤ１の外壁をなす（外郭を構成する）ハウジング３は、複数の分割体を継ぎ合わせて構成されている。ハウジング３の内部には空洞が形成されており、この空洞内に、各種電気部品が収容されている。
【００１７】
本体部１ｂの内部には、その長手方向（図５の左右方向）の一方側（右側）の入口開口（吸入口）４ａから出口開口（吐出口）４ｂに至る風洞（送風流路）が形成されている。この風洞内に収容された送風部としてのファン５を回転させることによって空気流Ｗ１が形成される。すなわち、空気流Ｗ１は、外部から入口開口４ａを介して風洞内に流入し、当該風洞内を通って出口開口４ｂから外部に排出される。
【００１８】
入口開口（吸入口）４ａは、網目状の枠体８１で覆われており、この枠体８１の開口部８１ａの形状はハニカム形状となっている。こうすることで、桟部８１ｂの強度を均等に確保させつつ入口開口（吸入口）４ａの総開口面積を大きくとることができ、風量の増大を図ることができるようになる。
【００１９】
また、枠体８１には、図５に示すように、開口率が５５〜９０パーセント程度であって、３００〜６５０μｍ程度の網目幅のメッシュ８２が一体成形されている。このメッシュ８２は、例えば金属やポリエステル等の難燃性樹脂を用いることができ、このように網目幅の細かいメッシュ８２を一体成形することで、細かい埃や毛髪等が空気流路内に入ってしまうのをより確実に抑制できるようにしている。
【００２０】
また、本体部１ｂにおいて、ハウジング３の外筒３ａの内部には、略円筒状の内筒６が設けられており、空気流Ｗ１はこの内筒６の内側を流れるようになっている。内筒６の内側では、最も上流側にファン５が配置され、その下流側にファン５を駆動するモータ７が配置され、モータ７のさらに下流側に加熱部（加熱機構）としてのヒータ８が配置されている。
【００２１】
ヒータ８を作動させたときには、出口開口４ｂから温風が吹き出されることになる。なお、本実施形態では、ヒータ８は、帯状かつ波板状の電気抵抗体を内筒６の内周に沿って巻回して配置したものとして構成されているが、かかる構成には限定されない。
【００２２】
また、ハウジング３内には、遷移金属微粒子を生成する遷移金属微粒子生成部、イオンを生成するイオン生成部、酸性成分を生成する酸性成分生成部、帯電微粒子液体を生成する帯電微粒子液体生成部のうち、少なくとも１つの生成部が設けられている。
【００２３】
イオン生成部としては、例えば、針状の第１電極（放電電極）と円環状の第２電極（対向電極）とで構成され、この電極間に高電圧を印可することでイオンを生成するようにしたものを用いることができる。
【００２４】
また、帯電微粒子液体生成部としては、例えば、針状の第１電極（放電電極）と円環状の第２電極（対向電極）とで構成され、この電極間に高電圧を印可することで帯電微粒子液体を生成するようにしたものを用いることができる。なお、帯電微粒子液体を生成する際には、第１電極に帯電微粒子液体を生成するための液体が水供給デバイス（図示せず）から供給された状態で、第１電極と第２電極との間に高電圧が印可される。
【００２５】
この第１電極への液体の供給方法としては、例えば、液体を含有したタンク（水供給デバイス）から第１電極に供給する方法を用いることができる。また、第１電極を冷却して第１電極表面で水分を結露させることで液体を供給する方法とすることも可能である。この液体は、第１電極表面で結露した水分（結露水）、または、第１電極から溶解した成分や第１電極の周囲の構成物から溶解した成分を含む結露水である。
【００２６】
酸性成分生成部は、酸性成分を生成することができる方式であればよい。例えば、第１電極（放電電極）と第２電極（対向電極）とで構成される酸性成分生成部とし、この電極間に高電圧を印可することで、放電により生成される酸性成分を有するＮＯｘ−（Ｈ２Ｏ）ｎ等を生成する方法を用いることができる。
【００２７】
また、酸性の特性を有する液体を静電霧化させたり、揮発させたりすることで酸性成分を生成することも可能である。また、固体から昇華させる方法で酸性成分を生成するようにしてもよい。
【００２８】
本実施形態では、本体部１ｂ内で、ハウジング３と内筒６との間に形成された空洞９に、２つ（複数）の金属微粒子生成部３０，４０および１つのミスト生成部５０が配置されている。
【００２９】
したがって、生成部（金属微粒子生成部３０，４０およびミスト生成部５０）で生成された成分は、分岐流Ｗ２とともに吐出するようになっているが、出口開口（吐出口）４ｂから空気流Ｗ１とともに吐出させるようにしてもよい。また、生成部はヒータ（加熱部）８が設けられている内筒６内に設けてもよいが、本実施形態に示すように、ヒータ（加熱部）８で加熱されない部位に設けることが好ましい。
【００３０】
金属微粒子生成部３０，４０では、遷移金属微粒子、イオンおよび酸性成分が生成される。一方、ミスト生成部５０では、帯電微粒子液体（ナノイー（登録商標））、イオンおよび酸性成分が生成される。
【００３１】
このように、本実施形態では、金属微粒子生成部３０，４０が、遷移金属微粒子生成部、イオン生成部および酸性成分生成部を兼ねている。そして、ミスト生成部５０が、帯電微粒子液体生成部、イオン生成部および酸性成分生成部を兼ねている。
【００３２】
本実施形態では、ハウジング３内に、遷移金属微粒子を生成する遷移金属微粒子生成部、イオンを生成するイオン生成部、酸性成分を生成する酸性成分生成部および帯電微粒子液体を生成する帯電微粒子液体生成部の４種類の生成部が設けられていることとなる。また、イオン生成部および酸性成分生成部はそれぞれ３箇所に設けられることとなり、遷移金属微粒子生成部および帯電微粒子液体生成部は１箇所に設けられることとなる。
【００３３】
なお、４種類の生成部は、それぞれ独立した状態で設けるようにしてもよい。また、４種類の生成部の全てを設ける必要はなく、いずれか１種類の生成部のみをハウジング３内に設けるようにしてもよいし、４種類の生成部のなかから任意に選択した２種類の生成部をハウジング３内に設けるようにしてもよい。
【００３４】
そして、本実施形態では、生成されるイオン、帯電微粒子液体、酸性成分、遷移金属微粒子の生成量を制御部１０で制御しており、毛髪の状態（髪質、長さ、乾燥状態）に応じて好適な量の成分が供給されるようにしている。
【００３５】
また、本体部１ｂ内で、ハウジング３と内筒６との間に形成された空洞９には、ミスト生成部５０に電圧を印加する電圧印加回路１２等も収容されている。なお、金属微粒子生成部３０，４０に電圧を印加する電圧印加回路（図示せず）もハウジング３内に収容されているが、この電圧印加回路（図示せず）は、相互干渉による不具合を抑制するため、電圧印加回路１２が収容された部位とは別の部位に収容されている。
【００３６】
電圧印加回路１２および金属微粒子生成部３０，４０に電圧を印加する電圧印加回路（図示せず）は、把持部１ａ内、または本体部１ｂ内で把持部１ａの延長線上となる領域に配置するのが好適である。使用者が把持部１ａを持ったときに、電圧印加回路１２および電圧印加回路（図示せず）の質量に起因する回転モーメントを小さくして、使用者の手に作用する負荷を小さくするためである。
【００３７】
また、これら電圧印加回路１２および電圧印加回路（図示せず）を、内筒６を挟んで相互に反対側となる位置に配置するのが好適である。こうすれば、電圧印加回路１２と電圧印加回路（図示せず）との相互干渉による電圧の低下や不安定化等の不具合をより一層抑制することができる。
【００３８】
さらに、本実施形態では、空洞９の側面部分（空洞９の電圧印加回路１２が収容された部位とは別の部位）に、温風と冷風の切り換えや動作モードの切り替え等を行うスイッチ部２１が収容されている。
【００３９】
また、把持部１ａの先端部１ｄ内の空洞には、電源のＯＮとＯＦＦとの切り換え等を行う別のスイッチ部１６が収容されている。これら電気部品同士は、金属導体等からなる芯線を絶縁性樹脂等で被覆したリード線１７によって接続されている。
【００４０】
なお、金属微粒子生成部３０に繋がるリード線１７、金属微粒子生成部４０に繋がるリード線１７およびミスト生成部５０に繋がるリード線１７は、相互に交叉させることなく極力離間させて配索するのが好適である。それぞれのリード線１７を流れる電流の相互干渉によって、金属微粒子生成部３０，４０あるいはミスト生成部５０で所望の電圧が得られなくなったり、電圧が不安定になったりするのを抑制するためである。
【００４１】
本実施形態では、スイッチ部１６は、ハウジング３の表面に露出した操作子１８を操作することで、内部接点の開閉状態を切り換えることができるように構成されている。このとき、操作子１８を上下方向にスライドさせることで、内部接点の開閉状態を多段階に切り換えることができるようにすることが可能である。
【００４２】
例えば、電源オフ、弱風、中風、強風の４つのモードに切り換えられるようにすることが可能である。この場合、操作子１８を最下部に位置させた状態を電源オフとすることができる。
【００４３】
そして、操作子１８を最下部から一段階上方にスライドさせた際に、電源オン状態となって、弱風が送風されるようにすることができる。さらに、操作子１８を最下部から二段階上方にスライドさせた際に、中風が送風され、操作子１８を最上部までスライドさせた際に、強風が送風されるようにすることができる。
【００４４】
一方、温風と冷風の切り換えや動作モード等を行うスイッチ部２１は、ハウジング３の表面（側面）に形成した操作子１９や操作子１９ａ、１９ｂを操作する（押圧する）ことで、内部接点の開閉状態を切り換えることができるように構成されている。そして、本体部１ｂの上部には、現在選択されているモードを表示する表示部１４が形成されている。
【００４５】
これらのスイッチ部２１や表示部１４等は、制御部１０と電気的に接続されている。
【００４６】
本実施形態では、操作子１９を操作することで、温風と冷風の切り換えを行うことができるようになっている。なお、操作子１９を操作する度に、温風、冷風、温風…と単に温冷２つのモードを切り替えるだけでなく、「ＨＯＴ」、「温冷」、「ＣＯＬＤ」、「ＳＣＡＬＰ」の４つの風温モードを切り替えることができるようにすることも可能である。
【００４７】
このとき、選択されているモードを認識することが可能な文字等が表示部１４に表示されるようにするのが好ましい。以下、各モードおよび表示部１４への表示方法の一例について説明する。
【００４８】
「ＨＯＴ」とは、温風を出力するモードであって、通常の使用時に毛髪にあたる風の温度が約７０℃から８０℃となるようにしたモードである。この温風を出力するモードが選択されているときには、表示部１４に「ＨＯＴ」の文字が表示されるようにする。
【００４９】
また、「温冷」とは、例えば冷風５秒、温風７秒といったように、温風と冷風を交互に出力するモードである。この「温冷」モードが選択されているときには、表示部１４に矢印が表示されるとともに、温風と冷風の出力に応じて「ＨＯＴ」と「ＣＯＬＤ」が交互に表示されるようにする。
【００５０】
また、「ＣＯＬＤ」とは、冷風を出力するモードであって、通常の使用時に毛髪にあたる風の温度が約３０℃となるようにしたモードである。この冷風を出力するモードが選択されているときには、表示部１４に「ＣＯＬＤ」の文字が表示されるようにする。
【００５１】
また、「ＳＣＡＬＰ」とは、低温風を出力するモードであって、通常の使用時に毛髪にあたる風の温度が約５０℃となるようにしたモードである。この「ＳＣＡＬＰ」モードは、主として頭皮のケアを行う際に選択されるモードとして設定するものである。そして、「ＳＣＡＬＰ」モードが選択されているときには、表示部１４に「ＳＣＡＬＰ」の文字が表示されるようにする。
【００５２】
そして、操作子１８を上方にスライドさせて電源オン状態にすると、制御部１０が通電され、現在の風温モードに応じた駆動信号でヒータ８が駆動されるとともに、現在の風温モードを表示するように表示部１４の風温表示が制御される。なお、操作子１８を上方にスライドさせて単に電源オン状態にした状態では、「ＨＯＴ」モードが選択されており、温風が送風される。
【００５３】
そして、操作子１９を操作するたびに、押下信号が制御部１０に送られて４つの風温状態が「温冷」モード、「ＣＯＬＤ」モード、「ＳＣＡＬＰ」モード、「ＨＯＴ」モードの順に切り替わるようになっている。
【００５４】
さらに、本実施形態では、表示部１４に「ＳＫＩＮ」の文字が形成されており、弱風モードで、「ＣＯＬＤ」を選択した場合に、「ＣＯＬＤ」とともに「ＳＫＩＮ」が表示されるようにしている。
【００５５】
すなわち、弱風モードで、「ＣＯＬＤ」を選択した場合には、「ＳＫＩＮ」モードとして使用することもできるようになっている。なお、「ＳＫＩＮ」モードは、ミスト等が含まれた冷風を肌に当てることで肌の水分保湿を適度な状態となるようにする等、肌のケアを行う際に選択されるモードである。
【００５６】
なお、上記説明は一例に過ぎず、各モードの表示方法としては、様々な方法を用いることができる。また、温風と冷風の切り換えモードについても、様々なモードの設定が可能である。
【００５７】
さらに、本実施形態では、ヘアドライヤ１は、環境温度（外気温度：使用者がいる場所の室温、気温等）を検知する環境温度検知部６０を備えている。そして、環境温度検知部６０が検知した環境温度に応じて、ヒータ（加熱部）８への通電量を制御部１０により変化させるようにしている。
【００５８】
この環境温度検知部６０は、例えば風温センサを用いることができ、ヘアドライヤ１内部のファン（送風部）５よりも下流に設けられており、ヒータ８による熱の影響を受けない部位に設けられている。本実施形態では、図６に示すように、環境温度検知部６０は、空洞９内（内筒６よりも外側）の間隙ｇ１よりも下流側に配置されている。
【００５９】
そして、環境温度検知部６０は、ヒータ８による熱の影響を受けにくい状態で環境温度を検知し、環境温度検知部６０により検知された環境温度に応じて制御部１０によりヒータ８への通電量を制御している。
【００６０】
例えば、環境温度１０℃の環境では、ヒータ８にはより大きな電流での通電を行い、例えば１１０〜１３０℃の温風、好ましくは１２０℃の温風を発生させるようにすることができる。一方、環境温度３０℃の環境では、ヒータ８への通電量を減少させて、例えば５０〜７０℃の温風、好ましくは６０℃の温風を発生させるようにすることができる。
【００６１】
また、本実施形態では、操作子１９ａを操作することで、髪質モードの切り替えを行うことができるようになっている。具体的には、毛髪の太い使用者が主として選択する髪太モードと、毛髪の細い使用者が主として選択する髪細モードの２つの髪質モードの選択ができるようになっている。
【００６２】
本実施形態では、選択された髪質モードに応じて、ハウジング３内に設けられる生成部で生成される成分量の調整を行うようにしている。
【００６３】
また、本実施形態では、操作子１９ｂを操作することで、髪長さモードの切り替えを行うことができるようになっている。具体的には、髪の短い使用者が主として選択するショートモードと、髪の長い使用者が主として選択するロングモードと、髪の長さが中程度の使用者が主として選択するミディアムモードの３つの髪長さモードの選択ができるようになっている。
【００６４】
本実施形態では、選択された髪長さモードに応じて、ハウジング３内に設けられる生成部で生成される成分量の調整を行うようにしている。
【００６５】
そして、髪質モードや髪長さモードの選択状態についても、様々な方法で表示部１４に表示させることが可能である。例えば、ロングモードを選択した場合には、ロングモードの文字や長髪の絵等が表示されるようにすることができる。すなわち、髪質モードや髪長さモードのうちの選択したモードそのものが判別できる表示方法（文字や髪の長さを示す絵等）とすることが可能である。
【００６６】
また、本実施形態のヘアドライヤ１は、通常の使用状態で、ある程度使用した際には、使用開始時に比べて生成される成分量が少なくなるように制御されている。
【００６７】
そして、選択された髪長さモード毎に、生成される成分量が所定の値となるまでの時間（使用開始時の生成量に対する割合が所定の値となるまでの時間）を異ならせている。
【００６８】
したがって、選択された髪長さモードを表示する場合に、選択されたモードにおける生成量が減少するまでの時間を表示部１４に表示するという方法もある。
【００６９】
また、本実施形態のヘアドライヤ１は、選択された髪質モード毎に、使用開始時における生成される成分量を異ならせている。すなわち、制御部１０によって生成量が多い第１の制御モードでの制御や生成量が少ない第２の制御モードでの制御が行われるようにしている。
【００７０】
したがって、選択された髪質モードを表示する場合に、選択されたモードにおいて使用開始時に生成される成分量の分量を表示部１４に表示することも可能である。
【００７１】
また、髪質モードや髪長さモードの選択状態だけでなく様々な状態を表示部１４に示すこともできる。
【００７２】
例えば、イオン生成部、帯電微粒子液体生成部、酸性成分生成部、遷移金属微粒子生成部等での各成分の生成量の制御部１０による制御状態を表示部１４に表示することができる。これらの表示方法としては、イオン量や、帯電微粒子液体量、酸性成分量、遷移金属微粒子量の変化をＬＥＤの点灯状態の変化で示す方法がある。
【００７３】
また、生成量が多い第１の制御モードや生成量が少ない第２の制御モードでの駆動状態を表示部１４において表示することもできる。
【００７４】
これらの表示方法としては、生成量の多い第１の制御モードと生成量の少ない第２の制御モードでの駆動状態を毛髪への髪ケア効果の一部を表現に使用し、ボリュームダウン、ボリュームアップとして表現する方法がある。
【００７５】
表示部１４は、制御基板上に実装されたチップ型の発光ダイオード１１と、発光ダイオード１１の光を拡散する白色乃至乳白色の拡散板１３と、透明樹脂からなる表示パネル１５とからなる。
【００７６】
表示パネル１５は、ハウジング３と別体に形成して両面接着テープでハウジング３に固定してもよいし、ハウジング３と一体に形成してもよい。表示パネル１５の裏面には、外部光を反射するハーフミラー層を印刷または転写により設けるのが好ましい。
【００７７】
そして、ハーフミラー層の上面の発光ダイオード１１と対向する面には、発光ダイオード１１からの光を選択的に遮光する遮光層を印刷または塗装により設けるのが好ましい。
【００７８】
なお、“選択的に遮光する”とは、風温表示、「ＨＯＴ」、「温冷」、「ＣＯＬＤ」、「ＳＣＡＬＰ」および「ＳＫＩＮ」等の文字や絵柄が表れるように、特定の領域（例えば、文字部分以外の領域）を遮光するという意味である。
【００７９】
表示部１４をかかる構成とすることで、電源オフの状態では、発光ダイオード１１が発光していないためヘアドライヤ１の内部が暗く、ヘアドライヤ１の外部が明るくても、外部光がハーフミラー層により反射され、内部部品や文字等を見えにくくすることができる。
【００８０】
一方、電源をオンにすると、発光ダイオード１１が発光し、その光が遮光層とハーフミラー層を透過して外部に照射される。このとき、遮光層により文字部分以外の領域については遮光されるので、外部には文字が表れることになる。
【００８１】
このとき、表示したい文字や絵柄に応じて、発光ダイオード１１が異なる色を発光するようにしてもよいし、同色の発光ダイオード１１を発光させるようにしてもよい。
【００８２】
また、表示部１４の印刷色は本体部１ｂの色に合わせて変更してもよい。ただし、白色やピンク色・ゴールド色等の場合、単色印刷では十分に遮光することができないため、外観用印刷色で印刷した後、遮光用として金属粉末の配合率の高いインク材料を使用しているシルバー系の印刷色にて印刷を行うとよい。
【００８３】
内筒６は、筒状部６ａと、筒状部６ａから径方向外側に向けて伸びて周方向に分散して配置された複数の支持リブ６ｂ（図５では一箇所のみ図示）と、を有している。また、内筒６は、支持リブ６ｂを介して筒状部６ａに接続され当該筒状部６ａの軸方向と略直交する方向に張り出すフランジ部６ｃを有している。
【００８４】
筒状部６ａとフランジ部６ｃとの間には間隙ｇ１が形成されており、この間隙ｇ１を介して空洞９内に空気流Ｗ１の一部が分岐されて流入し、分岐流Ｗ２が形成されている。なお、分岐流Ｗ２の空洞９内への導入口となる間隙ｇ１は、ファン５の下流でありかつヒータ８の上流側となる位置に設けられている。したがって、分岐流Ｗ２は、ヒータ８によって加熱される前の、比較的冷たい空気流となる。
【００８５】
そして、分岐流Ｗ２の一部はさらに分岐されて分岐流Ｗ３となっている。この分岐流Ｗ３は、後述する金属微粒子吹出口（イオン放出口）２０ａ，２０ｂやミスト吹出口（イオン放出口）２０ｃを通過せず、内筒６とハウジング３との間を通って出口開口４ｂの外周部分から吹き出す比較的冷たい空気流となっている。
【００８６】
ハウジング３には、空洞９の出口開口４ｂ側となる位置に、略円弧状の貫通孔（開口）３ｂが形成されており、この貫通孔３ｂを絶縁性の合成樹脂材料からなるカバー２０で塞いである。
【００８７】
このように、本実施形態では、カバー２０は、ハウジング３に形成された貫通孔（開口）３ｂを覆うようにして当該ハウジング３に取り付けられている。また、本実施形態では、カバー２０は、ハウジング３に対して図５の左側から右側に移動させることで、ハウジング３に取り付けられている。
【００８８】
したがって、本実施形態では、風洞（送風流路）の下流側から上流側への方向が、カバー２０のハウジング３への取り付け方向となっている。
【００８９】
また、カバー２０には、金属微粒子吹出口（イオン放出口）２０ａ，２０ｂとミスト吹出口（イオン放出口）２０ｃとがそれぞれ独立して形成されている。
【００９０】
なお、ミスト生成部（イオン発生部）５０および金属微粒子生成部（イオン発生部）３０，４０の前方には、イオンが流れるイオン流路４ｃが形成されることとなる。このため、金属微粒子吹出口（イオン放出口）２０ａ，２０ｂおよびミスト吹出口（イオン放出口）２０ｃは、イオン流路４ｃの下流側に設けられることとなる。
【００９１】
また、カバー２０は、金属微粒子あるいはミストによる帯電を抑制するため、ハウジング３よりも導電性を低くするのが好適である。カバー２０が帯電すると、その電荷によって、金属微粒子生成部３０，４０やミスト生成部５０から電荷を帯びた金属微粒子およびマイナスイオンやミストが放出されにくくなるからである。
【００９２】
カバー２０の帯電を抑制するためには、帯電を起こしにくい材料、例えば、ＰＣ（ポリカーボネート）樹脂を用いてカバー２０を形成し、カバー２０の材質を帯電を起こしにくい材質とするのが好ましい。なお、この部分では、カバー２０がヘアドライヤ１の外壁を成している（外郭を構成している）。
【００９３】
また、本実施形態では、金属微粒子吹出口２０ａ，２０ｂの孔径を、ミスト吹出口２０ｃの孔径より小さくしてある。すなわち、ミスト吹出口２０ｃを介してのミスト生成部５０のメンテナンスや状態の確認等をより容易に行わせるとともに、金属微粒子吹出口２０ａ，２０ｂを介しての手指や道具等の誤進入を抑制してある。
【００９４】
なお、カバー２０の内側にリブ（突部：接続部）を設け、このリブを後述するミスト生成部５０の対向電極（第２電極）５２に当接させることで、カバー２０の除電を行うようにするのが好ましい。
【００９５】
このように、本実施形態では、カバー２０とミスト生成部（イオン発生部）５０、カバー２０と金属微粒子生成部（イオン発生部）３０，４０とで、３つのイオン生成装置１００が形成されている。
【００９６】
さらに、本実施形態では、毛髪の帯電状態を変更することが可能な帯電部（帯電付与パネル）１ｆを設けている。この帯電部１ｆは、把持部１ａの近傍に設けられている。具体的には、帯電部１ｆは、把持部１ａの外表面に露出する導電性樹脂（導電部材）で形成されている。
【００９７】
また、本実施形態では、ミスト吹出口２０ｃの周辺部に、金属微粒子吹出口（イオン放出口）２０ａ，２０ｂを形成している。
【００９８】
具体的には、金属微粒子吹出口２０ａと金属微粒子吹出口２０ｂとを、ミスト吹出口２０ｃが中心となるように並設している。
【００９９】
すなわち、カバー２０には、金属微粒子吹出口２０ａ、２０ｂおよびミスト吹出口２０ｃが、ヘアドライヤ１の幅方向（図２の左右方向）に、金属微粒子吹出口２０ａ、ミスト吹出口２０ｃ、金属微粒子吹出口２０ｂの順に並ぶように形成されている。
【０１００】
このような配置とすることで、マイナスに帯電しているミストが、ミスト吹出口２０ｃの周辺部２０ｄに形成された金属微粒子吹出口（イオン放出口）２０ａ、２０ｂから吹き出されるマイナスイオンによって、外側へ拡散してしまうのを抑制できるようにしている。
【０１０１】
その結果、ミストの直進性が向上してミストが髪に届きやすくなり、髪ケア効果をより高めることができる。
【０１０２】
また、金属微粒子生成部３０，４０およびミスト生成部５０は、空洞９内でヘアドライヤ１の幅方向（図２の左右方向）に、金属微粒子生成部３０、ミスト生成部５０、金属微粒子生成部４０の順に並列に配置されている。
【０１０３】
そして、ミスト生成部５０と、当該ミスト生成部５０と隣り合う金属微粒子生成部（マイナスイオン発生部）３０、４０との間には、遮蔽板（仕切部）６ｄが設けられている。
【０１０４】
図６に示すように、遮蔽板６ｄを、ヘアドライヤ１の上下方向およびミストの吹き出し方向に延在するように配置することで、金属微粒子やミストが金属微粒子吹出口２０ａ、２０ｂおよびミスト吹出口２０ｃから吹き出される前に混合してしまうのを抑制している。
【０１０５】
金属微粒子生成部３０，４０は、導電性を有する金属材料によって形成される放電電極（第１電極）３１，４１および対向電極（第２電極）３２，４２をそれぞれ有している。
【０１０６】
そして、これら放電電極３１，４１と対向電極３２，４２との間に電圧印加回路（図示せず）によって高電圧（本実施形態では、−１ｋＶ〜−３ｋＶ）を印加して放電（コロナ放電等）を生じさせる。金属微粒子生成部３０，４０は、その放電作用によって放電電極３１，４１や対向電極３２，４２等から金属微粒子（金属の分子やマイナスイオン等）を放出させるものである。
【０１０７】
この金属微粒子生成部３０，４０は、ほぼ同一の形状に形成してもよいし、金属微粒子生成部３０，４０の形状がそれぞれ異なるようにしてもよい。
【０１０８】
放電電極３１，４１は、例えば、遷移金属（例えば、金、銀、銅、白金、亜鉛、チタン、ロジウム、パラジウム、イリジウム、ルテニウム、オスミウム等）の単体、合金、あるいは遷移金属をメッキ処理した部材等として構成することができる。金属微粒子生成部３０，４０で生成され放出された金属の微粒子に、金や、銀、銅、亜鉛等が含まれている場合、当該金属の微粒子によって抗菌作用を生じさせることができる。
【０１０９】
また、金属の微粒子に、白金、亜鉛、チタン等が含まれている場合、当該金属の微粒子によって抗酸化作用を生じさせることができる。なお、白金の微粒子は、抗酸化作用が極めて高いことが判明している。
【０１１０】
本実施形態では、金属微粒子生成部３０の放電電極３１に含まれる金属を亜鉛、金属微粒子生成部４０の放電電極４１に含まれる金属も亜鉛としている。なお、放電電極３１と放電電極４１に含まれる金属の種類を異ならせるようにしてもよい。
【０１１１】
また、金属微粒子生成部３０，４０は、放電作用によってイオン（例えばマイナスイオン、例えばＮＯ２−、ＮＯ３−等）を生じさせている。
【０１１２】
そこで、このイオンを、放電電極３１，４１や、対向電極３２，４２、他の金属材料や金属成分を含む部材等に衝突させることで、金属微粒子を生成する構成とすることも可能である。すなわち、対向電極３２，４２や上記他の部材を、上記遷移金属を含む材料によって構成し、これらから金属微粒子を放出させるようにしてもよい。なお、金属微粒子生成部３０，４０は、放電作用によって酸性成分も生じさせている。
【０１１３】
ミスト生成部５０は、導電性を有する金属材料によって形成される放電電極（第１電極）５１および対向電極（第２電極）５２を有している。そして、ミスト生成部５０は、これら放電電極５１と対向電極５２との間に電圧印加回路１２によって高電圧（本実施形態では、−３ｋＶ〜−５ｋＶ）を印加することで放電（コロナ放電等）を生じさせるものである。
【０１１４】
本実施形態では、図８Ａに示すように、放電電極５１は針状の部材として形成されており、対向電極５２は放電電極５１の先端側に離間配置した円環状の部材として形成されている。
【０１１５】
また、ミスト生成部５０は、帯電微粒子液体を生成する際に、放電電極５１に帯電微粒子液体を生成するための液体（水分）５３を供給する水供給デバイス（図示せず）を有している。
【０１１６】
かかるミスト生成部５０では、供給された水分５３が、放電作用によって微粒化され、ナノメータサイズの非常に細かいミスト（マイナスイオンを含むマイナスに帯電されたミスト：帯電微粒子液体）が生成される。なお、ミスト生成部５０は、放電作用によってイオンや酸性成分も生じさせている。
【０１１７】
具体的には、ミスト生成部５０は、図８Ａに示すように放電電極５１に供給する水分５３を比較的多量とすることにより、イオンの生成量を多くするとともに、帯電微粒子液体（ナノイー）の生成量を少なくするようになっている。一方、ミスト生成部５０は、図８Ｂに示すように放電電極５１に供給する水分５３を比較的少量とすることにより、イオンの生成量を少なくするとともに、帯電微粒子液体（ナノイー）の生成量を多くするようになっている。
【０１１８】
また、図６に示すように、金属微粒子生成部３０，４０およびミスト生成部５０は、内筒６の上壁６ｆから突設された固定部材６ｇに載置することで、金属微粒子生成部３０，４０およびミスト生成部５０が内筒６の上方に固定されている。
【０１１９】
なお、固定部材６ｇの形状や突出位置を様々に設定することで、空洞（分岐流路）９を流れる風の風向や風量を所望の量とすることが可能である。すなわち、固定部材６ｇは、空洞（分岐流路）９を流れる風の風向や風量を制御する制御手段として利用することができる。
【０１２０】
また、本実施形態では、対向電極（第２電極）５２が放電電極（第１電極）５１よりもミスト吹出口（イオン放出口）２０ｃ側に配置されている。
【０１２１】
次に、加熱送風装置としてのヘアドライヤ１を備えた加熱送風システム２００について図９から図１３に基づいて説明する。図９は、本実施形態における加熱送風システムの機能構成を示すブロック図を示すものである。
【０１２２】
加熱送風システム２００は、ハウジング３とファン５とヒータ８とを有するヘアドライヤ１と、ヘアドライヤ１を制御するプログラム１０２と、を備える。
【０１２３】
また、加熱送風システム２００は、ダウンロードサーバ１０３と、環境情報サーバ１０４と、気象情報サーバ１０５と、環境情報演算サーバ１０６と、動作条件演算サーバ１０７と、を備える。なお、これらのサーバは、ローカルエリアネットワーク（ＬＡＮ）にあるものであってもよく、広域ネットワーク（ＷＡＮ）にあるものであってもよい。また、環境情報サーバ１０４、気象情報サーバ１０５、環境情報演算サーバ１０６および動作条件演算サーバ１０７は、サーバではなく、操作装置１０１にインストール可能なアプリケーションであってもよい。
【０１２４】
ヘアドライヤ１は、ハウジング３と、ファン５と、ヒータ８と、これらファン５およびヒータ８等を制御する制御部１０とを有する。
【０１２５】
プログラム１０２は、例えば、ダウンロードサーバ１０３からダウンロードされて（図９中の矢印Ｓ１参照）、スマートフォン等の操作装置１０１にインストールされる。この操作装置１０１が、プログラム１０２と、使用者情報入力部１０８と、位置測定装置（ＧＰＳ）１０９と、タイマ１１０とを有する。なお、プログラム１０２は、ダウンロードサーバ１０３からダウンロードされて操作装置１０１にインストールされるものに限定されず、操作装置１０１にプリインストールされるものであってもよい。
【０１２６】
また、プログラム１０２は、例えば、使用者情報入力部１０８から、しっとり、サラサラ、ダメージ抑制／修復等の仕上がり情報を取得する。そして、プログラム１０２は、取得した仕上がり情報から、ヘアドライヤ１の基本動作条件、並びにイオン、帯電微粒子液体、酸性成分、遷移金属微粒子の生成量を演算する。なお、この仕上がり情報は、使用者により操作装置１０１に入力が可能とされている。
【０１２７】
プログラム１０２は、演算したヘアドライヤ１の基本動作条件、並びにイオン、帯電微粒子液体、酸性成分、遷移金属微粒子の生成量をヘアドライヤ１の制御部１０に付与する。そして、制御部１０が、付与されたヘアドライヤ１の基本動作条件、並びにイオン、帯電微粒子液体、酸性成分、遷移金属微粒子の生成量に応じて、ファン５、ヒータ８、金属微粒子生成部３０，４０、ミスト生成部５０の制御を行う。
【０１２８】
図１０に、仕上がり情報によるヘアドライヤ１の基本動作条件の一例が示される。
【０１２９】
仕上がり情報が「しっとり」の場合、例えば、風量が１．０ｍ３／分以下、風温が６０〜８０℃、イオン量が「少」、帯電微粒子液体量が「多」、酸性成分量が「中」、遷移金属微粒子量が「中」とされる。
【０１３０】
仕上がり情報が「サラサラ」の場合、例えば、風量が１．０ｍ３／分以上、風温が８０〜１２０℃、イオン量が「多」、帯電微粒子液体量が「少」、酸性成分量が「中」、遷移金属微粒子量が「中」とされる。
【０１３１】
仕上がり情報が「ダメージ抑制／修復」の場合、例えば、風量が０．７ｍ３／分以上、風温が１００℃以下、イオン量が「中」、帯電微粒子液体量が「中」、酸性成分量が「多」、遷移金属微粒子量が「多」とされる。
【０１３２】
また、プログラム１０２は、環境情報サーバ１０４から、屋外の温度、屋外の湿度、日照時間、紫外線強度等の屋外の環境情報のうち、少なくとも１つの屋外の環境情報を取得する。本実施形態では、プログラム１０２は、環境情報サーバ１０４から、屋外の温度、屋外の湿度、日照時間、紫外線強度等の屋外の環境情報を取得する（図９中の矢印Ｓ２参照）。
【０１３３】
プログラム１０２が、地域情報、時刻情報、気象情報のうち、少なくとも２種類を取得するようにしてもよい。この場合、プログラム１０２が、地域情報と時刻情報とを取得するようにしてもよく、地域情報と気象情報とを取得するようにしてもよく、時刻情報と気象情報とを取得するようにしてもよい。本実施形態では、プログラム１０２は、位置測定装置１０９から、ヘアドライヤ１が使用される地域情報を取得し、タイマ１１０から、ヘアドライヤ１が使用される時刻情報を取得し、気象情報サーバ１０５から、気象情報を取得する（図９中の矢印Ｓ２−１参照）。そして、プログラム１０２が、例えば、取得した地域情報と時刻情報と気象情報とを環境情報演算サーバ１０６に付与し（図９中の矢印Ｓ２−２参照）、環境情報演算サーバから、屋外の環境情報を取得する（図９中の矢印Ｓ２−３参照）ようにしてもよい。
【０１３４】
また、プログラム１０２は、例えば、使用者情報入力部１０８から、毛質、毛量、仕上がり情報等の使用者情報を取得する（図９中の矢印Ｓ３参照）。なお、この使用者情報は、使用者により操作装置１０１に入力が可能とされている。
【０１３５】
また、プログラム１０２は、例えば、取得した屋外の温度、屋外の湿度、日照時間、紫外線強度等の屋外の環境情報を動作条件演算サーバ１０７に付与する（図９中の矢印Ｓ４参照）。一方、動作条件演算サーバ１０７が、ヘアドライヤ１の風量、風温等の動作条件のうち、少なくとも１つの動作条件を演算するとともに、イオン、帯電微粒子液体、酸性成分、遷移金属微粒子の生成量のうち、少なくとも１つを演算する。
【０１３６】
プログラム１０２は、ヘアドライヤ１の風量、風温等の動作条件のうち、少なくとも１つの動作条件を取得するとともに、イオン、帯電微粒子液体、酸性成分、遷移金属微粒子の生成量のうち、少なくとも１つを取得する。本実施形態では、プログラム１０２は、動作条件演算サーバ１０７から、ヘアドライヤ１の風量、風温等の動作条件、並びにイオン、帯電微粒子液体、酸性成分、遷移金属微粒子の生成量を取得する（図９中の矢印Ｓ５参照）。
【０１３７】
プログラム１０２は、取得したヘアドライヤ１の風量、風温等の動作条件、並びにイオン、帯電微粒子液体、酸性成分、遷移金属微粒子の生成量をヘアドライヤ１の制御部１０に付与する（図９中の矢印Ｓ６参照）。そして、制御部１０が、付与されたヘアドライヤ１の風量、風温等の動作条件、並びにイオン、帯電微粒子液体、酸性成分、遷移金属微粒子の生成量に応じて、ファン５、ヒータ８、金属微粒子生成部３０，４０、ミスト生成部５０の制御を行う。
【０１３８】
図１１に、屋外の温度や屋外の湿度等の環境情報によるヘアドライヤ１の動作条件の一例が示される。なお、図１１中における「大」、「高」は、基本動作条件に対する「増量」、「上昇」を意味し、図１１中における「小」、「低」は、基本動作条件に対する「減量」、「下降」を意味する。
【０１３９】
屋外の温度が「高」の場合、例えば、風量が「大」、風温が「低」とされる。一方、屋外の温度が「低」の場合、例えば、風量が「小」、風温が「高」とされる。
【０１４０】
屋外の湿度が「高」の場合、例えば、イオン量が「大」、帯電微粒子液体量が「小」とされる。一方、屋外の湿度が「低」の場合、例えば、イオン量が「小」、帯電微粒子液体量が「大」とされる。
【０１４１】
日照時間が「長」の場合、例えば、酸性成分量が「大」、遷移金属微粒子量が「大」とされる。一方、日照時間が「短」の場合、例えば、酸性成分量が「小」、遷移金属微粒子量が「小」とされる。
【０１４２】
紫外線強度が「強」の場合、例えば、酸性成分量が「大」、遷移金属微粒子量が「大」とされる。一方、紫外線強度が「弱」の場合、例えば、酸性成分量が「小」、遷移金属微粒子量が「小」とされる。
【０１４３】
図１２に、季節等の環境情報によるヘアドライヤ１の動作条件の一例が示される。なお、図１２中における「大」、「高」は、基本動作条件に対する「増量」、「上昇」を意味し、図１２中における「小」、「低」は、基本動作条件に対する「減量」、「下降」を意味する。
【０１４４】
季節が「春・秋」の場合、例えば、風量が「大」、風温が「高」、イオン量が「小」、帯電微粒子液体量が「大」、酸性成分量が「大」、遷移金属微粒子量が「大」とされる。
【０１４５】
季節が「梅雨」の場合、例えば、風量が「大」、風温が「低」、イオン量が「大」、帯電微粒子液体量が「小」、酸性成分量が「小」、遷移金属微粒子量が「小」とされる。
【０１４６】
季節が「夏」の場合、例えば、風量が「大」、風温が「低」、イオン量が「大」、帯電微粒子液体量が「小」、酸性成分量が「小」、遷移金属微粒子量が「大」とされる。
【０１４７】
季節が「冬」の場合、例えば、風量が「小」、風温が「高」、イオン量が「小」、帯電微粒子液体量が「大」、酸性成分量が「大」、遷移金属微粒子量が「小」とされる。
【０１４８】
天気が「晴」の場合、例えば、風量が「大」、風温が「低」、イオン量が「大」、帯電微粒子液体量が「小」、酸性成分量が「小」、遷移金属微粒子量が「大」とされる。
【０１４９】
天気が「雨」の場合、例えば、風量が「大」、風温が「低」、イオン量が「大」、帯電微粒子液体量が「小」、酸性成分量が「小」、遷移金属微粒子量が「小」とされる。
【０１５０】
図１３に、使用者情報によるヘアドライヤ１の動作条件の一例が示される。なお、図１３中における「大」、「高」は、基本動作条件に対する「増量」、「上昇」を意味し、図１３中における「小」、「低」は、基本動作条件に対する「減量」、「下降」を意味する。
【０１５１】
使用者の髪質が「長さ（長い）・量（多い）」の場合、例えば、風量が「大」、風温が「高」、イオン量が「大」、帯電微粒子液体量が「大」、酸性成分量が「大」、遷移金属微粒子量が「大」とされる。
【０１５２】
使用者の髪質が「クセレベル（高い）」の場合、例えば、風量が「小」、風温が「高」、イオン量が「大」、帯電微粒子液体量が「小」、酸性成分量が「大」、遷移金属微粒子量が「小」とされる。
【０１５３】
使用者の髪質が「損傷レベル（高い）」の場合、例えば、風量が「小」、風温が「低」、イオン量が「小」、帯電微粒子液体量が「大」、酸性成分量が「大」、遷移金属微粒子量が「大」とされる。
【０１５４】
使用者のニーズが「しっとりさせたい」の場合、例えば、風量が「大」、風温が「低」、イオン量が「大」、帯電微粒子液体量が「小」、酸性成分量が「小」、遷移金属微粒子量が「大」とされる。
【０１５５】
使用者のニーズが「サラサラにしたい」の場合、例えば、風量が「大」、風温が「低」、イオン量が「大」、帯電微粒子液体量が「小」、酸性成分量が「小」、遷移金属微粒子量が「小」とされる。
【０１５６】
使用者のニーズが「クセを伸ばしたい」の場合、例えば、風量が「小」、風温が「高」、イオン量が「大」、帯電微粒子液体量が「小」、酸性成分量が「大」、遷移金属微粒子量が「小」とされる。
【０１５７】
使用者のニーズが「傷みをケアしたい」の場合、例えば、風量が「小」、風温が「低」、イオン量が「小」、帯電微粒子液体量が「大」、酸性成分量が「大」、遷移金属微粒子量が「大」とされる。
【０１５８】
以下に、本実施形態による作用効果を説明する。
【０１５９】
（１）加熱送風システム２００は、ハウジング３の内部に配置されるファン５および加熱部（ヒータ８）を有する加熱送風装置（ヘアドライヤ１）と、ヘアドライヤ１を制御するプログラム１０２と、を備える。プログラム１０２は、屋外の温度、屋外の湿度、屋外の風速、日照時間、紫外線強度のうち、少なくとも１つの屋外の環境情報を取得するステップを有する。また、プログラム１０２は、取得した屋外の環境情報から、ヘアドライヤ１の風量、風温のうち、少なくとも１つの動作条件を演算するステップを有する。
【０１６０】
プログラム１０２が、屋外の環境情報を取得するステップと、取得した屋外の環境情報からヘアドライヤ１の動作条件を演算するステップとを備えることにより、屋外の環境条件を考慮してヘアドライヤ１の動作条件を制御することが可能となる。
【０１６１】
（２）プログラム１０２は、地域情報を取得するステップと、時刻情報を取得するステップと、気象情報を取得するステップと、取得した地域情報と時刻情報と気象情報とのうち、少なくとも２つから屋外の環境情報を演算するステップとを有する。
【０１６２】
かかる構成により、実際の屋外の温度や屋外の湿度等を測定することなく、屋外の環境情報を簡易に取得することが可能となる。
【０１６３】
（３）プログラム１０２は、ヘアドライヤ１以外のデバイス（操作装置１０１）で作動する。
【０１６４】
かかる構成により、ヘアドライヤ１における入力用や操作用の部品を省略することができ、ヘアドライヤ１の大型化を回避することが可能となる。
【０１６５】
（４）加熱送風システム２００は、ハウジング３の内部に配置されるファン５および加熱部（ヒータ８）を有する加熱送風装置（ヘアドライヤ１）を備える。また、加熱送風システム２００は、屋外の温度、屋外の湿度、屋外の風速、日照時間、紫外線強度のうち、少なくとも１つの屋外の環境情報を有する情報サーバ（環境情報サーバ０１４）を備える。また、加熱送風システム２００は、少なくとも１つの屋外の環境情報から、ヘアドライヤ１の風量、風温のうち、少なくとも１つの動作条件を演算する演算サーバ（動作条件演算サーバ１０７）を備える。また、加熱送風システム２００は、ヘアドライヤ１を制御するプログラム１０２を備える。プログラム１０２は、情報サーバ（環境情報サーバ１０４）から、少なくとも１つの屋外の環境情報を取得するステップと、取得した屋外の環境情報を演算サーバ（動作条件演算サーバ１０７）に付与するステップと、を有する。また、プログラム１０２は、演算サーバ（動作条件演算サーバ１０７）から、少なくとも１つの動作条件を取得するステップを有する。
【０１６６】
かかる構成により、前記（１）と同様で、屋外の環境条件を考慮してヘアドライヤ１の動作条件を制御することが可能となる。
【０１６７】
（５）加熱送風システム２００は、ハウジング３の内部に配置されるファン５および加熱部（ヒータ８）を有する加熱送風装置（ヘアドライヤ１）と、ヘアドライヤ１が使用される地域情報を演算する位置測定装置１０９と、を備える。また、加熱送風システム２００は、時刻情報を有するタイマ１１０と、気象情報を有する情報サーバ（気象情報サーバ１０５）と、を備える。また、加熱送風システム２００は、地域情報と時刻情報と気象情報とから屋外の環境情報を演算する演算サーバ（環境情報演算サーバ１０６）と、ヘアドライヤ１を制御するプログラム１０２と、を備える。プログラム１０２は、位置測定装置１０９から、ヘアドライヤ１が使用される地域情報を取得するステップと、タイマ１１０から、ヘアドライヤ１が使用される時刻情報を取得するステップとを有する。また、プログラム１０２は、情報サーバ（気象情報サーバ１０５）から、気象情報を取得するステップを有する。また、プログラム１０２は、取得した地域情報と時刻情報と気象情報とを演算サーバ（環境情報演算サーバ１０６）に付与するステップと、演算サーバ（環境情報演算サーバ１０６）から、屋外の環境情報を取得するステップとを有する。また、プログラム１０２は、取得した屋外の環境情報を演算サーバ（動作条件演算サーバ１０７）に付与するステップと、演算サーバ（動作条件演算サーバ１０７）から、少なくとも１つの動作条件を取得するステップとを有する。
【０１６８】
かかる構成により、前記（１）、（４）と同様で、屋外の環境条件を考慮してヘアドライヤ１の動作条件を制御することが可能となる。
【０１６９】
（６）ヘアドライヤ１は、遷移金属微粒子生成部、イオン生成部、酸性成分生成部、帯電微粒子液体生成部のうち、少なくとも１つを有する。プログラム１０２は、取得した屋外の環境情報から、ヘアドライヤ１の遷移金属微粒子生成部、イオン生成部、酸性成分生成部、帯電微粒子液体生成部のうち、少なくとも１つの生成部の動作条件を取得するステップを有する。
【０１７０】
かかる構成により、屋外の環境条件を考慮して、遷移金属微粒子量、イオン量、酸性成分量、帯電微粒子液体量等の生成部の動作条件を制御することが可能となる。
【０１７１】
（７）ヘアドライヤ１は、イオン生成部と、帯電微粒子液体生成部と、イオン生成部と帯電微粒子液体生成部とを制御して、イオンの生成量と帯電微粒子液体の生成量とを調整する制御部１０とを有する。制御部１０は、イオンの生成量を増加させるとともに、帯電微粒子液体の生成量を減少させ、または、イオンの生成量を減少させるとともに、帯電微粒子液体の生成量を増加させる。
【０１７２】
かかる構成により、イオンの生成量と帯電微粒子液体の生成量とを調整することができ、毛髪のしっとり感や、サラサラ感等のより好ましい調整が可能となる。具体的には、帯電微粒子液体による毛髪への水分付与をより多くするとともに、イオンによる毛髪の電気的な中和を抑制することにより、毛髪へのより多くの水分の付与を促すことができ、毛髪のしっとり感のより好ましい調整が可能となる。一方、帯電微粒子液体による毛髪への水分付与をより少なくするとともに、イオンによる毛髪の電気的な中和を促すことにより、毛髪へのより多くの水分の付与を抑制することができ、毛髪のサラサラ感のより好ましい調整が可能となる。
【０１７３】
（８）帯電微粒子液体生成部は、放電電極５１と、水供給デバイスとを有する。制御部１０は、放電電極５１に対する水供給デバイスからの水の供給量を増減させることにより、イオンの生成量と帯電微粒子液体の生成量とを調整する。
【０１７４】
かかる構成により、イオンの生成量と帯電微粒子液体の生成量とを調整する際に、イオン生成部と帯電微粒子液体生成部とのうち、帯電微粒子液体生成部のみを制御すればよくなり、シーケンス制御を簡潔にすることが可能となる。
【０１７５】
（９）イオン生成部と帯電微粒子液体生成部とは同じもの（ミスト生成部５０）である。
【０１７６】
かかる構成により、ヘアドライヤ１の部品点数を削減することができ、ヘアドライヤ１を小型化することが可能となる。
【０１７７】
以上、本実施形態について説明したが、上記実施形態には限定されず、種々の変形が可能である。
【０１７８】
例えば、図１４に示すように、加熱送風装置としてのブラシ付きヘアドライヤ１Ｂに本開示を適用することも可能である。
【０１７９】
ブラシ付きヘアドライヤ１Ｂは、棒状に形成されており、使用者が把持部１ａを持って先端部１ｇに設けられたブラシ部２３を髪に当てて整髪する（髪を梳かす）ものである。ブラシ部２３には、複数のブリッスル２３ａが突設されている。
【０１８０】
外壁をなす（外郭を構成する）ハウジング３Ｂは、複数の分割体を継ぎ合わせて構成されており、その内部には風洞（送風流路）９Ｂが形成され、この風洞９Ｂ内に、各種電気部品が収容されている。
【０１８１】
また、把持部１ａのブラシ部２３に近い部分には、膨出した形状の外壁をなす（外郭を構成する）カバー２０Ｂが取り付けられている。このカバー２０Ｂとハウジング３Ｂとによって形成される風洞９Ｂ内に、金属微粒子生成部３０，４０とミスト生成部５０とが収容されている。
【０１８２】
カバー２０Ｂには、ブリッスル２３ａに向けて開放された排出口２０ａ，２０ｂが形成されている。金属微粒子生成部３０，４０で生成された金属微粒子ならびにミスト生成部５０で生成されたミストは、この排出口２０ａ，２０ｂから外部に放出され、髪や地肌に作用することになる。なお、金属微粒子生成部３０，４０およびミスト生成部５０には、回路部２４から電圧が印加される。
【０１８３】
また、風洞９Ｂに空気流Ｗを生じさせるファン５Ｂおよびこのファン５Ｂを回転させるモータ７Ｂを設け、金属微粒子生成部３０，４０で生成した金属微粒子ならびにミスト生成部５０で生成したミストを、分岐流Ｗｐに乗せて排出できるようにしている。
【０１８４】
モータ７Ｂおよびファン５Ｂは、ハウジング３Ｂ内に形成される風洞９Ｂ内に収容されている。モータ７Ｂは回路部２４に含まれる駆動回路によって回転駆動される。
【０１８５】
ハウジング３Ｂの基端側（図１４では下側）には空気の吸入口となる開口部１ｈが形成されており、ファン５Ｂが回転すると、空気が外部から開口部１ｈを介して風洞９Ｂ内に流入し、当該風洞９Ｂ内を通ってブラシ部２３に向けて排出される空気流Ｗが形成される。空気流Ｗは、ブラシ部２３のブリッスル２３ａの根元に形成された吹出孔（吐出口）２３ｂから吹き出される。
【０１８６】
さらに、使用者の帯電によって金属微粒子の放出が阻害されるのを抑制するため、把持部１ａの表面に帯電部（帯電付与パネル）１ｆを露出させてある。
【０１８７】
また、遮蔽壁２２Ｂを設け、ミスト生成部５０で生成されたミストが金属微粒子生成部３０，４０に到達するのを抑制している。
【０１８８】
このようなブラシ付きヘアドライヤ（加熱送風装置）１Ｂに本開示を適用しても、上記実施形態と同様の作用、効果を奏することができる。
【０１８９】
また、上記実施形態では、イオン発生部として、金属微粒子およびマイナスイオンを生成する金属微粒子生成部を例示したが、金属微粒子は生成せず、単にマイナスイオンを生成するものを用いてもよい。
【０１９０】
また、プラスイオンを生成するイオン生成装置にあっても、本開示を適用することができる。このように、プラスイオンを生成すると、ウィッグ等の人工毛をつけた毛髪に使用する場合に有効である。ウィッグ等の人工毛はマイナスに帯電しやすいので、プラスイオンを供給することで、静電気が生じてしまうのを抑制することができるためである。
【０１９１】
また、上記実施形態では、ミスト生成部およびマイナスイオン発生部として放電電極（第１電極）と対向する対向電極（第２電極）を有するものを例示したが、対向電極（第２電極）を放電電極（第１電極）と対向しない位置に設けたものを用いてもよい。
【０１９２】
また、上記実施形態では、金属微粒子吹出口（イオン放出口）を２つ形成したものを例示したが、金属微粒子吹出口（イオン放出口）を３つ以上形成することも可能である。
【０１９３】
また、上記実施形態では、分岐流によって、金属微粒子およびミストを吹き出すようにしたものを例示したが、分岐流がない場合でも、金属微粒子およびミストを対応する吹出口から吹き出すことができる。
【０１９４】
また、毛髪に髪ケア効果を与えるとともに、毛髪が比較的乾燥した状態のときに発生量を減少させることで髪ケア効果が向上する髪ケア剤を放出させるようにすることも可能である。このような髪ケア剤としては、例えば、オイル成分を含有する剤が挙げられる。オイル成分を含有する剤は、毛髪表面への付着が少量であることで髪ケア効果が向上するものがある。
【０１９５】
また、カバーやハウジング、その他細部のスペック（形状、大きさ、レイアウト等）も適宜に変更可能である。
【符号の説明】
【０１９６】
１  ヘアドライヤ（加熱送風装置）
１Ｂ  ブラシ付きヘアドライヤ（加熱送風装置）
３  ハウジング
５  ファン
８  ヒータ（加熱部）
１０  制御部
３０  金属微粒子生成部（遷移金属微粒子生成部、イオン生成部、酸性成分生成部）
４０  金属微粒子生成部（遷移金属微粒子生成部、イオン生成部、酸性成分生成部）
５０  ミスト生成部（帯電微粒子液体生成部、イオン生成部、酸性成分生成部）
１０１  操作装置
１０２  プログラム
１０４  環境情報サーバ（情報サーバ）
１０５  気象情報サーバ（情報サーバ）
１０６  環境情報演算サーバ（演算サーバ）
１０７  動作条件演算サーバ（演算サーバ）
１０９  位置測定装置
１１０  タイマ
２００  加熱送風システム
【図１】
2020171532.tif 000003
【図２】
2020171532.tif 000004
【図３】
2020171532.tif 000005
【図４】
2020171532.tif 000006
【図５】
2020171532.tif 000007
【図６】
2020171532.tif 000008
【図７】
2020171532.tif 000009
【図８Ａ】
2020171532.tif 000010
【図８Ｂ】
2020171532.tif 000011
【図９】
2020171532.tif 000012
【図１０】
2020171532.tif 000013
【図１１】
2020171532.tif 000014
【図１２】
2020171532.tif 000015
【図１３】
2020171532.tif 000016
【図１４】
2020171532.tif 000017